(57)【要約】【課題】使用者の肩位置を設定可能なマッサージ機において、肩位置の設定を行っている最中にマッサージ機がその時点で肩位置と見なしている位置を表示可能であり、かかる表示によって現在の肩位置を確認しながら肩位置の調節を行うことができるマッサージ機を提供すること。【解決手段】肩位置設定時にその時点において設定されている基準肩位置を表示する肩位置設定用表示部を設けた。【選択図】    図１０
2005013427.tif 000002
【特許請求の範囲】
【請求項１】
使用者の肩位置を設定可能なマッサージ機において、
肩位置設定時にその時点において設定されている基準肩位置を表示する肩位置設定用表示部を設けたことを特徴とするマッサージ機。
【請求項２】
前記肩位置設定用表示部は、肩位置の変更がなされる度に、変更後の肩位置を新たな基準肩位置として、それまで設定されていた基準肩位置に変えて表示することを特徴とする請求項１記載のマッサージ機。
【請求項３】
前記肩位置設定用表示部は、上下方向に段階的に設けた複数の指標のいずれかを肩位置として表示することを特徴とする請求項１又は請求項２記載のマッサージ機。
【請求項４】
前記肩位置設定用表示部は、映像を表示可能なディスプレイからなることを特徴とする請求項１〜３のいずれか１項に記載のマッサージ機。
【請求項５】
肩位置設定用の入力手段を備え、同入力手段による第１の入力により、その時点において設定されている基準肩位置を前記肩位置設定用表示部に表示し、前記入力手段による第２の入力により、肩位置を任意に設定可能としたことを特徴とする請求項１〜４のいずれか１項に記載のマッサージ機。
【発明の詳細な説明】
【０００１】
【発明の属する技術分野】
本発明は、使用者の肩位置を設定可能なマッサージ機に関する。
【０００２】
【従来の技術】
従来、上下に移動自在な揉み玉等の施療子を背もたれ部に設けたマッサージ機においては、肩位置の設定を使用者毎に行って、マッサージ中に各使用者に対応した位置に施療子が移動するよう構成されていた。
【０００３】
上記肩位置の設定は、使用者自身が施療子を移動させて肩位置を決定したり、或いはマッサージ機が自動的に施療子を移動させながら肩位置の検出を行ったり、或いはマッサージ機が自動検出した肩位置をその後使用者が微調整して、最終的な肩位置を決定していた。
【０００４】
このように肩位置の設定を行うとき、マッサージ機による自動検出のみでは設定された肩位置が使用者の実際の肩位置からずれる可能性もあるので、最終的には使用者自身が肩位置の調節を行うことが望ましかった。
【０００５】
そして、使用者自身が肩位置の調節を行う場合には、前述した如く使用者自身が施療子を操作して自分の肩位置へと施療子を移動させ、その施療子の位置を肩位置として決定していた。また、かかる施療子の操作は、操作部に設けられた昇降ボタン等によって行っていた。
【０００６】
マッサージ機の中には、上述のようにして設定された肩位置を基準として施療子によるマッサージが実行されると、現在の施療子の位置を操作部等に設けた表示部に示して、その時点におけるマッサージ部位を使用者に報知するマッサージ機もあった（例えば、特許文献１。）。
【０００７】
【特許文献１】
特許第３３８９５８１号公報（図１）
【０００８】
【発明が解決しようとする課題】
しかし、上記従来のマッサージ機においては、前述したようにマッサージ中の施療子の位置を表示できるものはあったが、肩位置の設定中にマッサージ機がその時点で肩位置と見なしている位置を表示できるものはできなかった。
【０００９】
従って、使用者は、表示部を見ながら客観的に肩位置の調節を行うことができず、施療子を上下動させながら肩部と思われる位置に施療子が当たっているか否かを体感で判断することにより肩位置を調整するしかなく、肩位置の設定に手間と時間がかかってしまっていた。
【００１０】
【課題を解決するための手段】
そこで、請求項１記載の本発明では、使用者の肩位置を設定可能なマッサージ機において、肩位置設定時にその時点において設定されている基準肩位置を表示する肩位置設定用表示部を設けた。
【００１１】
また、請求項２記載の本発明では、前記肩位置設定用表示部は、肩位置の変更がなされる度に、変更後の肩位置を新たな基準肩位置としてそれまで設定されていた基準肩位置に変えて表示することにした。
【００１２】
また、請求項３記載の本発明では、前記肩位置設定用表示部は、上下方向に段階的に設けた複数の指標のいずれかを肩位置として表示することにした。
【００１３】
また、請求項４記載の本発明では、前記肩位置設定用表示部は、映像を表示可能なディスプレイからなることとした。
【００１４】
また、請求項５記載の本発明では、肩位置設定用の入力手段を備え、同入力手段による第１の入力により、その時点において設定されている基準肩位置を前記肩位置設定用表示部に表示し、前記入力手段による第２の入力により、肩位置を任意に設定可能とした。
【００１５】
【発明の実施の形態】
本発明に係るマッサージ機は、使用者の肩位置を設定して、使用者毎に適切なマッサージを実行可能としており、肩位置設定時にその時点において設定されている基準肩位置（以下、単に肩位置という）を表示可能な肩位置設定用表示部を設けて、使用者が前記肩位置設定用表示部を見ながら肩位置の設定を行えるようにしている。
【００１６】
従って、使用者はマッサージ機がその時点で肩位置と見なしている位置を肩位置設定用表示部で確認しながら肩位置の設定を行うことができ、肩位置の設定を簡単にかつ短時間で行うことができる。
【００１７】
前記肩位置設定用表示部には、肩位置の変更がなされる度に変更後の肩位置を新たな肩位置としてそれまで設定されていた肩位置に変えて表示するようにしており、肩位置設定用表示部には、マッサージ機が肩位置と見なす最新の位置のみが表示されるようにしている。従って、使用者は現在の肩位置を容易に認識することができ、より簡単に肩位置の設定を行うことができる。
【００１８】
また、前記肩位置設定用表示部に肩位置を表示する際には、上下方向に段階的に複数設けた指標を表示して、そのいずれかを肩位置として表示するようにしており、使用者が肩位置の設定を行う際に、どの指標からどの指標へと肩位置を移動させたかを見ながら設定を行うことができるようにしている。従って、使用者は、前回設定された肩位置から今回設定した肩位置への変化量を明確に知ることができ、より簡単に肩位置の設定を行うことができる。
【００１９】
しかも、前記肩位置設定用表示部は映像を表示可能なディスプレイとしており、設定中の肩位置をディスプレイ上に大きく表示できるようにしている。従って、使用者は現在の肩位置を容易に認識することができ、肩位置の設定を円滑に行うことができる。そして、このように肩位置設定用表示部を見るだけで使用者が現在の肩位置を容易に認識できるので、肩位置設定用表示部のみで肩位置の設定を行うことも可能である。すなわち、肩位置の変更に同期して変更後の肩位置を体感させなくても、使用者は肩位置の設定を行うことができる。
【００２０】
例えば、背もたれ部に揉み玉を設けた椅子型のマッサージ機の場合、使用者に変更後の肩位置を体感させながら肩位置設定を行うためには、肩位置の変更に同期して揉み玉を変更後の肩位置へと移動させる必要があり、マッサージの途中で肩位置設定を行うと、マッサージを一時中断しなければならなかった。これに対し、本マッサージ機では、前述したような揉み玉の移動を行わなくても肩位置設定用表示部のみで肩位置の設定を行うことが可能である。従って、マッサージの途中で肩位置設定を行ってもマッサージを中断する必要がなく、効率よくマッサージを行うことができる。
【００２１】
なお、肩位置設定を行うタイミングとしては、上述したマッサージ中の他にも、マッサージ実行前が考えられる。ここで、マッサージ中に行う肩位置設定とマッサージ実行前に行う肩位置設定を比較すると、マッサージ中に行う肩位置設定は、使用者の意志によって能動的に行われるのに対し、マッサージ実行前に行う肩位置設定は、マッサージを実行するに当たって必要な他の設定と共にマッサージ機の案内に沿って受動的に行われる可能性が高い。
【００２２】
すなわち、マッサージの途中で肩位置を設定する場合は、肩位置に対する使用者の意識が高いので、体感を伴わせることなく肩位置設定用表示部のみで設定を行っても使用者は容易に肩位置を設定できるのに対し、マッサージの実行前に肩位置を設定する場合は、肩位置に対する使用者の意識がそれほど高くないので、肩位置設定用表示部だけでなく肩位置設定に体感を伴わせれば、肩位置の設定をより容易なものとすることができる。
【００２３】
しかも、マッサージの途中で肩位置を設定する場合は、肩位置設定表示部のみで肩位置設定を行えば、マッサージを中断させることなく肩位置設定を行うことができるのに対し、マッサージの実行前に肩位置を設定する場合は、マッサージが未だ開始されていない状態なので、肩位置の設定に体感を伴わせてもマッサージを中断することがない。
【００２４】
従って、前記肩位置設定用表示部は、マッサージの途中で肩位置設定を行う場合に、特に有効に活用することができる。
【００２５】
また、本マッサージ機は、肩位置設定用の入力手段も備えており、同入力手段による第１の入力により、その時点において設定されている基準肩位置を前記肩位置設定用表示部に表示し、前記入力手段による第２の入力により、肩位置を任意に設定可能としている。従って、肩位置を変更するためには前記入力手段による入力を少なくとも２回以上行うこととなるので、誤って肩位置が変更される可能性をなくすことができ、使用者が設定した肩位置を確実に保持することができる。
【００２６】
上述のようにして設定された肩位置はマッサージを実行する際に反映され、マッサージ機は設定された肩位置に即して各種マッサージを実行する。例えば、前述した背もたれ部に揉み玉を設けた椅子型のマッサージ機であれば、設定された肩位置に即して揉み玉が移動し、体型の異なる各使用者に対してそれぞれ適したマッサージが実行される。
【００２７】
【実施例】
以下、本発明の内容を図面に基づいて詳述する。
【００２８】
図１は、本発明に係るマッサージ機の一実施例を示す斜視図であり、図中、１００は椅子型のマッサージ機本体である。また、図２は、図１に示したマッサージ機Ａの側面視による説明図である。マッサージ機本体１００は、使用者Ｍが着する座部１０１、この座部１０１を支持する基台部１０２、座部１０１の後側に枢軸１０３を介してリクライニング可能に連結した背もたれ部１０４、及び座部１０１の前側に略Ｌ字状の枢支連結部材１０５を介して上下方向へ揺動可能に連結した脚載部１０６とを備えており、座部１０１の両側には肘掛部１０７，１０７が立設してある。
【００２９】
前述した基台部１０２内には支持アーム１０８が配設してあり、該支持アーム１０８と脚載部１０６の裏面との間には、リニア動作する脚載部用アクチュエータ１０９が架設してあり、図３に示した如く、脚載部用アクチュエータ１０９の進退動作によって、脚載部１０６を前記枢支連結部材１０５の枢軸回りに揺動させて、昇降させ得るようになっている。脚載部用アクチュエータ１０９には後述する脚載部駆動用モータ１１０から駆動力が与えられるようになっており、与えられた駆動力によって脚載部用アクチュエータ１０９は進退動作する。また、前記枢支連結部材１０５の近傍に、脚載部１０６の揺動角度を検出する脚載部角度検出センサ１１１が配設してある。
【００３０】
一方、前記支持アーム１０８と背もたれ部１０４の下端近傍の部分との間にも、リニア動作する背もたれ部用アクチュエータ１１２が架設してあり、該背もたれ部用アクチュエータ１１２の進退動作によって、背もたれ部１０４を前記枢軸１０３回りに揺動させて、適宜の角度にリクライニングさせ得るようになっている。この背もたれ部用アクチュエータ１１２には、後述するリクライニング用モータ１１３から駆動力が与えられるようになっており、与えられた駆動力によって背もたれ部用アクチュエータ１１２は進退動作する。また、前記枢軸１０３の近傍に、背もたれ部１０４の揺動角度（リクライニング角度）を検出するリクライニング検出センサ１１４が配設してある。
【００３１】
脚載部１０６は、内部に２つの半円筒状の脚受１１５，１１５を互いに平行に設けて、正面視が略上断めがね枠形をなしており、脚受１１５，１１５の各両内側には、左右に対をなす脚上部用エアバッグａ１，ａ１、ａ１，ａ１及び脚下部用エアバッグａ２，ａ２、ａ２，ａ２が、それぞれ脚受１１５，１１５の中心軸の軸長方向へ距離を隔てて配設してある。また、座部１０１には、該座部１０１の幅寸法より少し短い長さ寸法を有する横長の臀部用エアバッグａ３及び腿部用エアバッグａ４が、座部１０１の奥側からこの順に、互いに距離を隔てて埋設してある。
【００３２】
一方、肘掛部１０７，１０７上にはそれぞれ、上側に開口を配した半円筒状の腕受１１６，１１６を設けてなる腕載部１１７，１１７が取付けてあり、両腕受１１６，１１６の内側には腕部用エアバッグａ５，ａ５が腕受１１６，１１６に倣って配設してある。更に、背もたれ部１０４の正面側であって、両側縁近傍の位置にはそれぞれ、左右に対をなす背中部用エアバッグａ６，ａ６及び腰部用エアバッグａ７，ａ７が、背中部及び腰部の高さ位置に応じた位置に埋設してある。そして、これら各エアバッグａ１，ａ２，…は、基台部１０２内に格納した給排気部によって配置位置別に給排気されるようになっている。
【００３３】
図４は、図１に示したマッサージ機Ａに設けた給排気部の構成を示すブロック図であり、図中、１１８は各エアバッグａ１，ａ２，…に給気するためのエアポンプである。エアポンプ１１８には、該エアポンプ１１８から圧入される大気を一時的に貯留すると共に、各エアバッグａ１，ａ２，…へ分流する分流器１１９が連通連結してある。分流器１１９には、複数の吐気口が各エアバッグａ１，ａ２，…に対応して設けてあり、各吐気口には当該吐気口の開口を開閉する電磁弁Ｂ１，Ｂ２，…がそれぞれ設けてある。この分流器１１９の各吐気口と、対応するエアバッグａ１，ａ２，…とは耐圧ホースによってそれぞれ連結してある。そして、後述する如く電磁弁Ｂ１，Ｂ２，…の開閉動作を制御することによって所要のエアバッグａ１，ａ２，…に対して給排気して、エアバッグａ１，ａ２，…を膨張・収縮させる。これによって、使用者Ｍに対してエアマッサージが施される。
【００３４】
なお、前述した電磁弁Ｂ１，Ｂ２，…の開閉動作によって、エアバッグａ１，ａ２，…を膨張・収縮させることができる一方、エアバッグａ１，ａ２，…を膨張状態に保持することもできるようになっている。
【００３５】
一方、背もたれ部１０４の中央を通る縦軸上には、同背もたれ部１０４の表面部を介して使用者Ｍの身体に当接して機械的マッサージを行う揉み玉５，６を具備するマッサージユニット４が埋設してあり、同マッサージユニット４が背もたれ部１０４内にその両側縁から距離を隔てて互いに平行に縦設したラック１０，１１に沿って昇降するようにしてある。
【００３６】
すなわち、上記マッサージユニット４は、略矩形箱型に形成したマッサージユニットケーシング２２の内部に、揉み玉５，６を前後・左右に揺動させる揉み玉駆動機構７やマッサージユニット４を昇降させるマッサージユニット昇降機構８を内蔵しており、特にマッサージユニット昇降機構８においては、マッサージユニット４を昇降させる昇降用駆動部としての昇降用モータ２３を、前記マッサージユニットケース２２から左右両端部が突出すると共にその突出した左右両端部にそれぞれピニオンギア３０，３１を取り付けた昇降軸２８に連動連結している。そして、各ピニオンギア３０，３１を背もたれ部１０４に取り付けた前記ラック１０，１１にそれぞれ噛合させることにより、昇降モータ２３を駆動すると昇降軸２８が回転し、それに伴ってピニオンギア３０，３１がラック１０，１１に沿って走行し、マッサージユニット４が背もたれ部１０４に沿って昇降するようにしてある。
【００３７】
また、前記昇降軸２８には、昇降用モータ２３によって昇降軸２８が駆動（回転）された量（角度）を検出するための昇降用駆動量検出手段としてのロータリーエンコーダ９１を配設しており、同ロータリーエンコーダ９１から与えられる昇降軸２８の回動角度に基づいて、後述する制御ユニット１６がマッサージユニット４の昇降量を検出するようにしてある。
【００３８】
図５は、上記マッサージ機Ａを操作する際に用いる操作部１７の平面視による説明図である。図示するように、本実施例では、操作部１７をリモートコントローラとしており、同操作部１７の上部に液晶ディスプレイからなる表示部１８を設けると共に、後述する肩位置設定を実行する際には、前記表示部１８に肩位置設定を補助するための案内画面を表示して、表示部１８を肩位置設定用表示部として用いるようにしている。また、上記表示部１８の下方には、マッサージ機Ａを操作するための各種操作ボタン１９を設けており、特に、肩位置設定用の操作ボタン１９として、肩位置を高くするための上昇ボタン１９ａと、肩位置を低くするための下降ボタン１９ｂとを設けている。このように、本実施例では、操作部１７が肩位置設定用の入力手段となる。
【００３９】
また、この操作部１７にあっては、上記肩位置設定の他にも、各種マッサージの選択や、前記脚載部１０６の昇降や、前記背もたれ部１０４のリクライニング等を選択し得るようになっている。
【００４０】
図６は、本発明に係るマッサージ機Ａの駆動制御系を示すブロック図である。制御ユニット１６には、前述した如く、昇降用駆動量検出手段としてのロータリーエンコーダ９１から昇降軸２８の回動角度が与えられるようになっており、制御ユニット１６は、与えられた各回動角度に基づいて、昇降用駆動部たる昇降用モータ２３の回転駆動を制御して、機械的マッサージを実施させる。
【００４１】
また、制御ユニット１６には、前述した如く、脚載部角度検出センサ１１１から脚載部１０６の揺動角度が、リクライニング角度検出センサ１１４から背もたれ部１０４の揺動角度（リクライニング角度）がそれぞれ与えられるようになっており、制御ユニット１６は、与えられた角度に基づいて、脚載部駆動用モータ１１０、及びリクライニング用モータ１１３の回転駆動を制御して、機械的マッサージを実施させる。
【００４２】
また、制御ユニット１６は、前述したエアポンプ１１８のオン・オフ動作を制御すると共に、各エアバッグａ１，ａ２，…に対して給排気を行うための電磁弁Ｂ１〜Ｂ１４の開閉動作を制御するようになっており、所要のエアバッグａ１，ａ２，…を膨張・収縮させてエアマッサージを実施させる。
【００４３】
一方、制御ユニット１６には、前記操作部１７から肩位置設定やマッサージの選択や脚載部１０６の昇降や背もたれ部１０４のリクライニング等に関する各種指令が与えられるようになっており、制御ユニット１６は、操作部１７からマッサージを実施する指令が与えられた場合、与えられた指令に基づいて、前記各モータ２３，１１０，１１３の回転駆動動作、及び各電磁弁Ｂ１〜Ｂ１４の開閉動作を制御して、次のようにマッサージを実施する。
【００４４】
図７は、本発明に係るマッサージ機Ａによるマッサージ手順を示すフローチャートである。制御ユニット１６は、操作部１７からマッサージの実施指令が与えられたと判断するまで待機し（ステップＳ１）、その実施指令が与えられたと判断した場合、使用者Ｍの肩位置設定を行う（ステップＳ２）。そして、与えられた実施指令に対応するマッサージを実行し（ステップＳ３）、本サブルーチンを終了する。
【００４５】
図８は、前記図７のステップＳ２において実行される肩位置設定の手順を示すフローチャートである。制御ユニット１６は、肩位置の設定開始後、まず、使用者Ｍの体形検出を行う（ステップＳ１１）。
【００４６】
図９は、前記体形検出の手順を示す説明図である。なお、図９にあっては、理解を容易にするためにマッサージユニット４は省略し、揉み玉５，６のみを表示してある。また、本実施例では、体形検出手段として、マッサージ中における負荷電流を検出する負荷電流検出手段と、揉み玉５，６の上下位置座標を検出する座標検出手段と、この座標検出手段からのデータを記憶する記憶手段とを備える構成としている。
【００４７】
図９に示すように、制御ユニット１６は、昇降用モータ２３を駆動してマッサージユニット４を使用者Ｍの腰位置である最下端位置に降下させる（ｆ１）とともに、揉み玉駆動機構７に設けてある揉み玉５，６を前後に進退させる進退用モータを駆動して揉み玉５，６を最後方位置（ｆ２）に後退させる。
【００４８】
そして、その位置で進退用モータを駆動して揉み玉５，６を前方に向けて（被施療部である使用者Ｍの背中部に向けて）徐々に移動させ（ｆ３）、制御ユニット１６によって進退用モータに所定の負荷（例えば負荷電流）が印加されていることを上記負荷電流検出手段により検出すると、進退用モータを停止してその位置を制御ユニット１６を介して座標検出手段により座標換算すると共に記憶手段により記憶し、その後、進退用モータを駆動して揉み玉５，６を最後方位置まで後方に向けて移動する（ｆ４）。これら（ｆ３）及び（ｆ４）の動作を１単位の体形検出ステップとする。なお、進退用モータが停止した位置の記憶は、揉み玉５，６を最後方位置から停止位置まで移動させる際に進退用モータが作動した時間を揉み玉５，６の進出動作量として記憶するようにしてもよい。
【００４９】
次いで、昇降用モータ２３を駆動して、昇降用駆動量検出手段としてのロータリーエンコーダ９１の検出に基づいて所定距離だけマッサージユニット４を上昇させ（ｆ５）、上述同様に、その位置で進退用モータを駆動して揉み玉５，６を前方に向けて徐々に移動する（ｆ６）。なお、昇降移動距離の制御は、昇降用モータ２３を所定時間（例えば１秒間）駆動するようにした制御方式でもよい。
【００５０】
これらの動作を使用者Ｍの肩位置まで繰り返し行う（ｆ７）ことによって、使用者Ｍの肩部の高さや幅、背中部の形状等といった使用者Ｍの体形を検出する。なお、検出終了後は、マッサージユニット４は初期状態（図９におけるｆ２位置）に復帰する。
【００５１】
このようにして体形検出が終了すると、制御ユニット１６は、初期肩位置としてマッサージ機Ａに予め設定してある使用者Ｍの標準的な肩位置（以下、標準肩位置という）に揉み玉５，６を移動させると共に（ステップＳ１２）、同初期肩位置である標準肩位置を操作部１７の表示部１８に表示する（ステップＳ１３）。
【００５２】
図１０（ａ）にはこのときの表示部１８を示しており、図示するように、表示部１８には、人体に模した画像（以下、人体画像という）を表示して、同人体画像の肩部近傍に上下方向に７段階に設けた指標ｂ１〜ｂ７を表示すると共に、同指標ｂ１〜ｂ７のうち、初期肩位置である標準肩位置に対応する指標を他の指標と区別が付くように点灯表示し、使用者Ｍに現在の肩位置を報知するようにしている。しかも、各指標ｂ１〜ｂ７に対して下から順に１〜７の番号を割り振って、標準肩位置に対応する指標の番号を前記点灯表示と併せて表示するようにしている。また、表示部１８には、「肩位置を微調節できます。」等の案内も併せて表示して、現在設定されている肩位置から変更が可能なことを使用者Ｍに報知するようにしている。
【００５３】
上述したような肩位置設定用の案内画面は、予め設定しておいた所定時間（例えば、５秒間）だけ表示部１８に表示するようにしており、同所定時間内に使用者Ｍが操作部１７の上昇ボタン１９ａや下降ボタン１９ｂにより肩位置の変更操作を行うと、制御ユニット１６は、操作部１７から肩位置調整の実施指令が出されたと判断して（ステップＳ１４）、現在肩位置として設定してある標準肩位置から使用者Ｍが新たに設定した肩位置へと揉み玉５，６を移動させ（ステップＳ１５）、さらに、前記図１０（ａ）に示す案内画面に代えて、図１０（ｂ）に示す変更後の肩位置に対応する指標を点灯・数値表示した案内画面を表示部１８に表示し（ステップＳ１６）、新たに設定された肩位置を使用者Ｍに報知する。
【００５４】
制御ユニット１６は、上記ステップＳ１４〜ステップＳ１６の処理を前記所定時間が経過したと判断するまで繰り返し（ステップＳ１７）、所定時間が経過したと判断した場合には、最後に設定した肩位置を最終的な肩位置として決定して（ステップＳ１８）、本サブルーチンを終了する。そして、以後に実行するマッサージにおいては、上述のようにして設定した肩位置を基準として揉み玉５，６を作動させる。
【００５５】
このように、本実施例では、映像表示可能なディスプレイからなる表示部１８を設けて、同表示部１８を見ながら肩位置の設定を行えるようにしているので、使用者Ｍはマッサージ機Ａがその時点で肩位置と見なしている位置を表示部１８で確認しながら設定を行うことができ、肩位置の設定を簡単にかつ短時間で行うことができる。
【００５６】
特に、肩位置の設定時には、肩位置設定用の案内画像として人体を模した画像とその肩部を７段階に分けた指標ｂ１〜ｂ７とを表示部１８に表示するので、使用者Ｍは現在マッサージ機Ａが肩位置と見なしている位置を感覚的に認識することができ、使用者Ｍに対して分かりやすい報知を行うことができる。
【００５７】
また、マッサージ機Ａが肩位置と見なしている位置を表示部１８に表示するに際しては、肩位置に該当する指標を点灯表示するのみならず数値表示しているので、使用者Ｍはより明確に現在の肩位置を認識することができ、肩位置の設定をより簡単に行うことができる。しかも、一度自分にあった肩位置を見つけてその肩位置に対応する指標の数値を覚えておけば、次に肩位置を設定する際には覚えておいた数値へと肩位置を移動させることにより直ぐに肩位置の設定を完了させることができ、肩位置の設定に要する時間や手間を省くことができる。
【００５８】
なお、本実施例では、初期肩位置として標準肩位置を用いているが、同初期肩位置として、ステップＳ１１の体型検出により自動検出される検出肩位置を用いることもできる。
【００５９】
以上説明した肩位置設定は、各使用者Ｍに対して的確なマッサージを行うために、マッサージの実行前に実施する肩位置設定であるが、本実施例では、マッサージの実行中に肩位置を変更したい場合にも、新たな肩位置の設定ができるようにしており、かかる肩位置設定は以下の手順で行われる。
【００６０】
図１１は、マッサージの実行中（前記図７のステップＳ２の処理中）に、使用者Ｍが操作部１７の上昇ボタン１９ａや下降ボタン１９ｂによって肩位置設定の操作を行うと、その都度呼び出されて実行される肩位置設定の手順を示すフローチャートである。制御ユニット１６は、前記上昇ボタン１９ａ或いは下降ボタン１９ｂが押されて肩位置の設定が開始されると、前記図８に示す肩位置設定のときと同様、まず、図１０（ａ）、（ｂ）に示すような肩位置設定用の案内画面を表示部１８に表示して、現在設定されている肩位置と、現在設定されている肩位置から変更が可能なことを使用者Ｍに報知する（ステップＳ２１）。
【００６１】
上記案内画面は、予め設定しておいた所定時間（例えば、５秒間）だけ表示部１８に表示するようにしており、同所定時間内に使用者Ｍが操作部１７の上昇ボタン１９ａや下降ボタン１９ｂにより肩位置の変更操作を行うと、制御ユニット１６は、操作部１７から肩位置調整の実施指令が出されたと判断して（ステップＳ２２）、前記図８に示す肩位置設定のときと同様、表示部１８に表示する案内画面を、前記ステップＳ２１の処理で表示を開始した既存の肩位置を示す案内画面から、変更後の肩位置に対応する指標を点灯・数値表示した案内画面へと変更し（ステップＳ２３）、新たに設定された肩位置を使用者Ｍに報知する。
【００６２】
なお、本サブルーチンはマッサージが実行されている最中に呼び出されて実行されるので、前記図８において説明したマッサージの実行前に行う肩位置設定のときとは異なり、案内画面の表示と併せて揉み玉５，６を移動させたりはしない。
【００６３】
制御ユニット１６は、上記ステップＳ２２及びステップＳ２３の処理を前記所定時間が経過したと判断するまで繰り返し（ステップＳ２４）、所定時間が経過したと判断した場合には、最後に設定した肩位置を最終的な肩位置として決定して（ステップＳ２５）、本サブルーチンを終了する。そして、以後に実行するマッサージにおいては、新たに設定した肩位置を基準として揉み玉５，６を作動させる。
【００６４】
このように、本実施例では、マッサージの実行中に肩位置の設定を行うに際して、表示部１８を見ながら設定を行えるようにしたので、揉み玉５，６がマッサージのために既に作動していて、操作部１７による肩位置の変更に併せて実際に揉み玉５，６を変更後の肩位置に移動させることができなくても、使用者Ｍは表示部１８を見ることにより肩位置をどの程度移動させたのかを認識することができ、容易に肩位置の設定を行うことができる。
【００６５】
しかも、マッサージ中に上昇ボタン１９ａ或いは下降ボタン１９ｂが押された場合、直ぐに肩位置を変更するのではなく、最初に上昇・下降ボタン１９ａ，１９ｂが押されたときに（第１の入力）、その時点において設定されている肩位置を前記肩位置設定用表示部に表示し、次に上昇・下降ボタン１９ａ，１９ｂが押されたときに（第２の入力）、初めて肩位置の変更を実行するようにしているので、誤って肩位置が変更される可能性をなくすことができ、使用者が設定した肩位置を確実に保持することができる。
【００６６】
【発明の効果】
本発明は、以上に説明したような形態で実施され、以下に記載されるような効果を奏する。
（１）請求項１記載の本発明では、使用者の肩位置を設定可能なマッサージ機において、肩位置設定時にその時点において設定されている基準肩位置を表示する肩位置設定用表示部を設けたので、使用者はマッサージ機がその時点で肩位置と見なしている位置を肩位置設定用表示部を見て確認しながら肩位置の設定を行うことができ、肩位置の設定を簡単にかつ短時間で行うことができる。
（２）請求項２記載の本発明では、前記肩位置設定用表示部は、肩位置の変更がなされる度に、変更後の肩位置を新たな基準肩位置としてそれまで設定されていた基準肩位置に変えて表示するようにしたので、肩位置設定用表示部には、マッサージ機が肩位置と見なす最新位置のみが表示されることとなり、使用者に現在の肩位置をわかりやすく報知することができる。従って、使用者はより簡単に肩位置の設定を行うことができる。
（３）請求項３記載の本発明では、前記肩位置設定用表示部は、上下方向に段階的に設けた複数の指標のいずれかを肩位置として表示することにしたので、使用者は、どの指標からどの指標へと肩位置を移動させたかを見ることができ、前回設定された肩位置から今回設定した肩位置への変化量を明確に知ることができる。従って、より簡単に肩位置の設定を行うことができる。
（４）請求項４記載の本発明では、前記肩位置設定用表示部は、映像を表示可能なディスプレイからなることとしたので、使用者は現在の肩位置を容易に認識することができ、肩位置の設定を円滑に行うことができる。
（５）請求項５記載の本発明では、肩位置設定用の入力手段を備え、同入力手段による第１の入力により、その時点において設定されている基準肩位置を前記肩位置設定用表示部に表示し、前記入力手段による第２の入力により、肩位置を任意に設定可能としたので、肩位置を変更するためには前記入力手段による入力を少なくとも２回以上行うこととなる。従って、誤って肩位置が変更される可能性をなくすことができ、使用者が設定した肩位置を確実に保持することができる。
【図面の簡単な説明】
【図１】本発明に係るマッサージ機の一実施例を示す斜視図である。
【図２】同側面視による説明図である。
【図３】脚載部の昇降動作を示す説明図である。
【図４】給排気部の構成を示すブロック図である。
【図５】操作部の平面視による説明図である。
【図６】マッサージ機の駆動制御系を示すブロック図である。
【図７】マッサージ機によるマッサージ手順を示すフローチャートである。
【図８】マッサージ機による肩位置設定手順を示すフローチャートである。
【図９】体形検出の手順を示す説明図である。
【図１０】肩位置設定用の案内画面を示す図である。
【図１１】マッサージ機による肩位置設定手順を示すフローチャートである。
【符号の説明】
Ａ    マッサージ機
ａ１    脚上部用エアバッグ
ａ２    脚下部用エアバッグ
ａ３    臀部用エアバッグ
ａ４    腿部用エアバッグ
ａ５    腕部用エアバッグ
ａ６    背中部用エアバッグ
ａ７    腰部用エアバッグ
ｂ１，ｂ２，ｂ３，ｂ４，ｂ５，ｂ６，ｂ７  指標
Ｍ    使用者
４    マッサージユニット
５，６  揉み玉
１０，１１  ラック
１６    制御ユニット
１７    操作部
１８    表示部
１９ａ  上昇ボタン
１９ｂ  下降ボタン
２２    マッサージユニットケーシング
２３    昇降用モータ
２８    昇降軸
３０，３１  ピニオンギヤ
９１    ロータリーエンコーダ
１００  マッサージ機本体
１０１  座部
１０４  背もたれ部
１０６  脚載部
１１７  腕載部
【図１】
2005013427.tif 000003
【図２】
2005013427.tif 000004
【図３】
2005013427.tif 000005
【図４】
2005013427.tif 000006
【図５】
2005013427.tif 000007
【図６】
2005013427.tif 000008
【図７】
2005013427.tif 000009
【図８】
2005013427.tif 000010
【図９】
2005013427.tif 000011
【図１０】
2005013427.tif 000012
【図１１】
2005013427.tif 000013